(57)【要約】【課題】  チャンネル間の時間情報の誤差に関わらず正確に予約実行、さらにデジタル・アナログ複数の放送を受信可能であれば放送波間の時間の違い、デコードによるタイムラグを吸収し、正確に予約実行することを可能にするデジタル放送受信機、予約設定時刻管理方法及び予約設定時刻管理プログラムを記録した記録媒体を提供する。【解決手段】  録画機能付デジタル放送受信機２０は、時間情報取得部８により取得した時間情報と内蔵時計部２との誤差を受信機本体外部要因に起因する時間誤差として算出する時間情報誤差算出部１０と、受信信号を映像・音声として出力するまでに要するデコートによる遅延及び受信機内部経路による遅延に起因する遅延時間を内部遅延としてあらかじめ算出して保持するデコードラグ保存部１３とを備え、予約実行時間決定部１４は、算出した誤差情報、及びデコードラグ保存部１３に保存された内部遅延に基づいて予約実行テーブル１５に設定された予約設定開始時刻を修正し、予約実行部１６は、予約実行テーブル１５に記された指定時刻に予約動作を行う。【選択図】  図１
2005303799.tif 000002
【特許請求の範囲】
【請求項１】
デジタル放送を受信するデジタル放送受信機において、
放送番組の開始時間を予約設定する予約設定手段と、
受信機本体に内蔵された内部時計と、
受信した放送信号から時間情報を取得する時間情報取得手段と、
取得した前記時間情報と前記内蔵時計との誤差を受信機本体外部要因に起因する時間誤差として算出する時間誤差算出手段と、
算出された前記時間誤差に基づいて前記予約設定手段により設定された予約設定開始時刻を修正する予約設定開始時刻修正手段と
を備えることを特徴とするデジタル放送受信機。
【請求項２】
さらに、受信信号を映像・音声として出力するまでに要するデコートによる遅延及び受信機内部経路による遅延に起因する遅延時間を内部遅延としてあらかじめ算出して保持する内部遅延保持手段を備え、
前記予約設定開始時刻修正手段は、保持された前記内部遅延に基づいて前記予約設定手段により設定された予約設定開始時刻を修正することを特徴とする請求項１記載のデジタル放送受信機。
【請求項３】
前記時間誤差は、デジタル放送局の放送信号送出時の誤差、受信経路における誤差、又はデジタル放送局の運用誤差を含むことを特徴とする請求項１記載のデジタル放送受信機。
【請求項４】
前記時間誤差算出手段は、前記時間情報取得のための動作を前記予約設定時に行うことを特徴とする請求項１記載のデジタル放送受信機。
【請求項５】
前記時間誤差算出手段は、前記時間情報取得ための動作をあらかじめ設定した時間に行うことを特徴とする請求項１記載のデジタル放送受信機。
【請求項６】
前記時間情報取得のための動作は、予約番組の属するチャンネルへの前記時間情報取得のための選局、前記時間情報取得、前記時間誤差算出、又は前記予約設定の修正の動作を含むことを特徴とする請求項１、４又は５のいずれか一項に記載のデジタル放送受信機。
【請求項７】
前記時間情報取得のための動作は、さらに、選局に費やす時間、前記時間情報の再送時間、前記時間誤差情報に基づく誤差分、一定のマージン時間を含むことを特徴とする請求項１、４、５又は６のいずれか一項に記載のデジタル放送受信機。
【請求項８】
さらに、前記予約設定手段により設定された予約設定開始時刻で予約を実行する予約実行手段を備えることを特徴とする請求項１記載のデジタル放送受信機。
【請求項９】
前記予約実行手段は、視聴予約又は録画予約を実行することを特徴とする請求項８記載のデジタル放送受信機。
【請求項１０】
さらに、放送番組を録画する録画機器を備え、
前記予約実行手段は、設定された予約設定開始時刻で録画予約を実行することを特徴とする請求項８又は９に記載のデジタル放送受信機。
【請求項１１】
デジタル放送受信機の予約設定時刻管理方法において、
放送番組の開始時間を予約設定するステップと、
放送信号を受信するステップと、
受信した放送信号から時間情報を取得するステップと、
取得した前記時間情報と受信機本体に内蔵された内蔵時計との誤差を受信機本体外部要因に起因する時間誤差として算出するステップと、
算出された前記時間誤差に基づいて前記予約設定手段により設定された予約設定開始時刻を修正する修正ステップと
を有することを特徴とするデジタル放送受信機の予約設定時刻管理方法。
【請求項１２】
さらに、受信信号を映像・音声として出力するまでに要するデコートによる遅延及び受信機内部経路による遅延に起因する遅延時間を内部遅延としてあらかじめ算出するステップと、
算出した内部遅延を保持するステップとを有し、
前記修正ステップでは、保持された前記内部遅延に基づいて設定された前記予約設定開始時刻を修正することを特徴とする請求項１１記載のデジタル放送受信機の予約設定時刻管理方法。
【請求項１３】
デジタル放送受信機の予約設定時刻管理方法において、受信信号を映像・音声として出力するまでに要するデコートによる遅延及び受信機内部経路による遅延に起因する遅延時間を内部遅延としてあらかじめ算出するステップと、算出した内部遅延を保持するステップと、放送番組の開始時間を予約設定するステップと、放送信号を受信するステップと、受信した放送信号から時間情報を取得するステップと、取得した前記時間情報と受信機本体に内蔵された内蔵時計との誤差を受信機本体外部要因に起因する時間誤差として算出するステップと、算出された前記時間誤差及び保持された前記内部遅延に基づいて前記予約設定手段により設定された予約設定開始時刻を修正する修正ステップとをコンピュータに実行させるためのプログラム。
【請求項１４】
デジタル放送受信機の予約設定時刻管理方法において、受信信号を映像・音声として出力するまでに要するデコートによる遅延及び受信機内部経路による遅延に起因する遅延時間を内部遅延としてあらかじめ算出するステップと、算出した内部遅延を保持するステップと、放送番組の開始時間を予約設定するステップと、放送信号を受信するステップと、受信した放送信号から時間情報を取得するステップと、取得した前記時間情報と受信機本体に内蔵された内蔵時計との誤差を受信機本体外部要因に起因する時間誤差として算出するステップと、算出された前記時間誤差及び保持された前記内部遅延に基づいて前記予約設定手段により設定された予約設定開始時刻を修正する修正ステップとをコンピュータに実行させるためのプログラムを記録したことを特徴とするコンピュータ読み取り可能な記録媒体。
【発明の詳細な説明】
【技術分野】
【０００１】
本発明は、放送番組を予約するデジタル放送受信機、予約設定時刻管理方法及び予約設定時刻管理プログラムを記録した記録媒体に関し、特に、希望番組を確実に予約実行することを可能にする予約機能付デジタル放送受信機、複数の放送媒体を受信可能な予約機能付デジタル放送アナログ放送複合受信機に関する。
【背景技術】
【０００２】
近年、テレビジョン放送もアナログ放送からデジタル放送に急速に移行している。このデジタル放送では、アナログ放送に比べて多チャンネル化が図られると同時に、受信機での番組選択に必要な情報（番組情報）をサービス情報として番組と共に伝送している。ユーザは、この番組情報を受信機の表示画面に表示し、放送番組の確認、視聴予約、録画予約等に利用することができる。
【０００３】
従来、デジタル放送を受信し、得られた受信信号から希望番組を録画する場合に予約機能付デジタル放送受信機が用いられる。この予約機能付デジタル放送受信機は、受信した信号の中から視聴者が録画を希望する番組（録画希望番組）を入力操作によって指定すると、指定した時刻に番組の選局動作を行い、接続、又は内蔵された記録機器を操作し録画が行われ、その録画内容を後で見ることができるものである。
【０００４】
デジタル放送受信機の予約動作としては、単純に本体内蔵時計を基準に指定時刻に選局動作、記録機器の操作を行うものが一般的である。特許文献１には、更に精密な予約実行を行うために、放送波に含まれる番組コードを監視しその変化をトリガに本体内蔵時計によらず予約を行うデジタル放送受信機が開示されている。
【０００５】
また、特許文献２には、デジタル放送受信機の本体内蔵時計を校正する手段としては時報検出によるものの他に放送波に含まれる現在時刻情報を用い、さらにＳＤ（Standard Definition）映像とＨＤ（High Definition）映像との切り替え時を示すシームレス切替え信号によって時計の時刻を較正することができ、秒よりも高い精度での較正を可能にする時刻較正方法及び装置が開示されている。
【０００６】
また、特許文献３には、デジタル放送受信機の本体内蔵時計校正の誤動作を防止する手段として複数チャンネルを同時受信し、受信チャンネルに含まれる現在時刻情報と内部時刻との時間差が、あらかじめ定められた閾値の範囲内にある場合に限り、現在時刻情報にて内部時刻を校正するデジタル放送受信機が開示されている。
【０００７】
【特許文献１】特開平９−３２６９８７号公報
【特許文献２】特開２００１−９１６８０号公報
【特許文献３】特開２００２−３７４４７３号公報
【発明の開示】
【発明が解決しようとする課題】
【０００８】
しかしながら、このような従来のデジタル放送受信機にあっては、以下のような解決課題があった。
【０００９】
２００３年末より首都圏、近畿圏、中京圏の一部の地域において地上デジタル放送がはじまり、地上デジタル放送、ＢＳデジタル放送、１１０℃Ｓ放送、地上アナログ放送、ＢＳアナログ放送等、複数の放送を受信可能なデジタル放送アナログ放送複合受信機が市場に登場した。
【００１０】
従来の予約機能付デジタル放送受信機は、前述したように、単純に本体内蔵時計を基準にして指定時刻に選局動作、記録機器の操作を行うものが一般的である。このような予約機能をデジタル放送アナログ放送複合受信機に当てはめた場合以下のような不具合が起こりうる。
【００１１】
地上アナログ放送の時報で本体内蔵時計を校正し、単純に本体内蔵時計を基準に指定時刻に選局動作、記録機器の操作を行う場合、地上アナログ放送の予約実行時には正しく録画予約動作が行われるが、地上デジタル放送の番組に関しては録画された予約番組の先頭に１つ前の番組の終わりが記録され、逆に予約番組の終わりが切れてしまう。これは地上デジタル放送の放送局側の送出している時刻情報と地上アナログ放送で使用している時刻情報の誤差、さらに信号受信経路による遅延、デコードによる誤差が累積し、地上デジタル放送と地上アナログ波放送の時刻情報間に誤差が発生し、この誤差がそのまま本体内蔵時刻と地上デジタル放送時刻の差となってしまうためである。逆に、地上デジタル放送により内蔵時刻校正を行った場合には、地上アナログ放送の予約録画内容において録画希望番組の頭が欠落し、終わりに次の番組の頭が挿入されることになる。
【００１２】
また、デジタル放送チャンネル間においてもチャンネル毎の時間情報が異なる場合があり、この場合も内蔵時計の校正に用いたチャンネルの番組においては厳密な予約動作が行われるが、校正に用いたチャンネルとずれた時間情報をもつチャンネルの予約録画内容においては録画希望番組の頭が切れ終わりに次の番組の頭が入る、又は予約録画内容の頭に前の番組の終わりが入り録画希望番組の終わりが切れる現象が発生する。実際に地上デジタル放送が実施されている北米では多くの放送局が存在し放送局間の時間情報の誤差が顕著である。
【００１３】
これを改善する方法として、特許文献２に記載の装置を用いる場合、番組情報を監視するためには予約の対象となる番組情報を含むチャンネルが選択されていなければならないという問題がある。また、複合受信機においては常にその放送波が選択されている保証がないため、複合受信機独自の工夫が必要となる。
【００１４】
また、特許文献３に記載の装置は、複数のチャンネルの同時受信が前提となるもので、内蔵時間校正用途に極端におかしな時間情報を採用しないためのものであって、積極的にチャンネル間の時刻情報誤差を補正するものではない。
【００１５】
本発明は、このような課題に鑑みてなされたものであって、チャンネル間の時間情報の誤差に関わらず正確に予約実行、さらにデジタル・アナログ複数の放送を受信可能であれば放送波間の時間の違い、デコードによるタイムラグを吸収し、正確に予約実行することを可能にするデジタル放送受信機、予約設定時刻管理方法及び予約設定時刻管理プログラムを記録した記録媒体を提供することを目的としている。
【課題を解決するための手段】
【００１６】
本発明のデジタル放送受信機は、デジタル放送を受信するデジタル放送受信機において、放送番組の開始時間を予約設定する予約設定手段と、受信機本体に内蔵された内部時計と、受信した放送信号から時間情報を取得する時間情報取得手段と、取得した前記時間情報と前記内蔵時計との誤差を受信機本体外部要因に起因する時間誤差として算出する時間誤差算出手段と、算出された前記時間誤差に基づいて前記予約設定手段により設定された予約設定開始時刻を修正する予約設定開始時刻修正手段とを備えることを特徴としている。
【００１７】
さらに、受信信号を映像・音声として出力するまでに要するデコートによる遅延及び受信機内部経路による遅延に起因する遅延時間を内部遅延としてあらかじめ算出して保持する内部遅延保持手段を備え、前記予約設定開始時刻修正手段は、保持された前記内部遅延に基づいて前記予約設定手段により設定された予約設定開始時刻を修正することが好ましい。
【００１８】
前記時間誤差は、デジタル放送局の放送信号送出時の誤差、受信経路における誤差、又はデジタル放送局の運用誤差を含むものであってもよい。
【００１９】
前記時間誤差算出手段は、前記時間情報取得のための動作を前記予約設定時に行うものであってもよく、前記時間情報取得のための動作をあらかじめ設定した時間に行うものであってもよい。
【００２０】
また、前記時間情報取得のための動作は、予約番組の属するチャンネルへの前記時間情報取得のための選局、前記時間情報取得、前記時間誤差算出、又は前記予約設定の修正の動作を含むものであってもよい。
【００２１】
前記時間情報取得ための動作は、さらに、選局に費やす時間、前記時間情報の再送時間、前記時間誤差情報に基づく誤差分、一定のマージン時間を含むことがより好ましい。
【００２２】
さらに、前記予約設定手段により設定された予約設定開始時刻で予約を実行する予約実行手段を備えることがより好ましい。前記予約実行手段は、例えば視聴予約又は録画予約を実行するものである。
【００２３】
より好ましい具体的な態様として、放送番組を録画する録画機器を備え、前記予約実行手段は、設定された予約設定開始時刻で録画予約を実行する。
【００２４】
本発明の予約設定時刻管理方法は、デジタル放送受信機の予約設定時刻管理方法において、放送番組の開始時間を予約設定するステップと、放送信号を受信するステップと、受信した放送信号から時間情報を取得するステップと、取得した前記時間情報と受信機本体に内蔵された内蔵時計との誤差を受信機本体外部要因に起因する時間誤差として算出するステップと、算出された前記時間誤差に基づいて前記予約設定手段により設定された予約設定開始時刻を修正する修正ステップとを有することを特徴としている。
【００２５】
さらに、受信信号を映像・音声として出力するまでに要するデコートによる遅延及び受信機内部経路による遅延に起因する遅延時間を内部遅延としてあらかじめ算出するステップと、算出した内部遅延を保持するステップとを有し、前記修正ステップでは、保持された前記内部遅延に基づいて設定された前記予約設定開始時刻を修正することがより好ましい。
【００２６】
別の観点から、本発明は、デジタル放送受信機の予約設定時刻管理方法において、受信信号を映像・音声として出力するまでに要するデコートによる遅延及び受信機内部経路による遅延に起因する遅延時間を内部遅延としてあらかじめ算出するステップと、算出した内部遅延を保持するステップと、放送番組の開始時間を予約設定するステップと、放送信号を受信するステップと、受信した放送信号から時間情報を取得するステップと、取得した前記時間情報と受信機本体に内蔵された内蔵時計との誤差を受信機本体外部要因に起因する時間誤差として算出するステップと、算出された前記時間誤差及び保持された前記内部遅延に基づいて前記予約設定手段により設定された予約設定開始時刻を修正する修正ステップとをコンピュータに実行させるためのプログラムである。
【００２７】
また、本発明は、デジタル放送受信機の予約設定時刻管理方法において、受信信号を映像・音声として出力するまでに要するデコートによる遅延及び受信機内部経路による遅延に起因する遅延時間を内部遅延としてあらかじめ算出するステップと、算出した内部遅延を保持するステップと、放送番組の開始時間を予約設定するステップと、放送信号を受信するステップと、受信した放送信号から時間情報を取得するステップと、取得した前記時間情報と受信機本体に内蔵された内蔵時計との誤差を受信機本体外部要因に起因する時間誤差として算出するステップと、算出された前記時間誤差及び保持された前記内部遅延に基づいて前記予約設定手段により設定された予約設定開始時刻を修正する修正ステップとをコンピュータに実行させるためのプログラムを記録したことを特徴とするコンピュータ読み取り可能な記録媒体である。
【発明の効果】
【００２８】
以上、詳述したように、本発明によれば、チャンネル間の時間情報の誤差に関わらず、設定された予約設定開始時刻に正確に予約実行することができる。特に、デジタル・アナログ複数の放送を受信可能なデジタル放送受信機に適用した場合には、放送波間の時間の違い、デコードによるタイムラグを吸収することができ、正確に予約実行することができる。
【発明を実施するための最良の形態】
【００２９】
以下、添付図面を参照しながら本発明の好適なデジタル放送受信機及び予約設定時刻管理方法の実施の形態について詳細に説明する。
【００３０】
図１は、本発明の実施の形態のデジタル放送受信機の機能を示すブロック図である。本実施の形態に係るデジタル放送受信機は、録画機能を備えたテレビジョン受信機に適用した例である。
【００３１】
図１において、録画機能付デジタル放送受信機２０は、ＢＳ端子，Ｕ／ＶＨＦアンテナ端子等の各アンテナ端子１ａ，１ｂと、アンテナ端子１ａ，１ｂによりデジタル放送信号を受信し、受信信号を形成するチューナ等からなる受信部１と、受信機本体動作の基準となるカウンタ動作を行う内蔵時計部２（内部時計）と、視聴番組や視聴予定時間の設定などのユーザ操作情報を入力するキー入力部，ポインティングデバイス，リモコン装置などからなる操作入力部３と、操作入力部３より入力された予約情報を保持する予約情報記録部４と、外部又は内部に設置され映像音声情報等を記録する記録装置５（録画機器）と、接続された外部機器又は記録装置５に対して録画指示を行う録画実行部６と、受信した放送信号から番組情報を取得する番組情報取得部７と、受信した放送信号から時間情報を取得する時間情報取得部８（時間情報取得手段）と、受信した放送信号から番組を取得する番組取得部９と、時間情報取得部８により取得した時間情報と内蔵時計部２（内部時計）との誤差を受信機本体外部要因に起因する時間誤差として算出する時間情報誤差算出部１０（時間誤差算出手段）と、時間情報誤差算出部１０により算出した誤差情報を保持する時間情報誤差保持部１１と、番組情報取得部７により取得した番組情報が予約された番組情報であるか否かを検査する番組情報監視部１２と、受信信号を映像・音声として出力するまでに要するデコートによる遅延及び受信機内部経路による遅延に起因する遅延時間を内部遅延としてあらかじめ算出して保持するデコードラグ保存部１３（内部遅延保持手段）と、時間情報誤差算出部１０により算出した誤差情報、デコードラグ保存部１３に保存された内部遅延、及び予約情報を基に実際の予約実行時間（例えば、事前選局時刻・録画開始終了時刻）を決定する予約実行時間決定部１４と、予約実行時間決定部１４により決定された予約実行時間を保持する予約実行テーブル１５（予約設定手段の一部）と、予約実行テーブル１５を参照して得られる情報を基に受信部１に選局指示、録画実行部６に録画指示を出す予約実行部１６（予約実行手段）とを備え、各部は図示されるように相互接続されている。
【００３２】
上記予約実行時間決定部１４及び予約実行テーブル１５は、時間情報誤差算出部１０により算出した誤差情報、及びデコードラグ保存部１３に保存された内部遅延に基づいて予約実行テーブル１５に設定された予約設定開始時刻を修正する予約設定開始時刻修正手段としての機能を有する。
【００３３】
上記予約実行部１６は、予約実行テーブル１５に記された指定時刻に予約動作を行うもので、予約実行テーブル１５更新のための時間情報取得のための選局から予約テーブル更新までの一連の動作を指示する。
【００３４】
記録装置５は、受信・選択された放送番組等を記録するもので、録画実行部６からの録画指示により電源の入切、選局、録画を行う。例えば、ＶＴＲ（Video Tape Recorder）や、ハードディスクドライブ（ＨＤＤ）、ＤＶＤ（Digital Versatile Disc）及びＭＯ（Magneto Optical）等のディスク装置からなる内部又は外部の録画機器である。
【００３５】
番組情報取得部７、時間情報取得部８及び番組取得部９は、受信した放送信号に多重化されている番組付帯情報を分離し、番組情報、時間情報及び放送番組をそれぞれ取得する信号処理回路である。具体的には、ＥＰＧ（Electrical Program Guide：電子番組ガイド）に含まれる番組付帯情報及び時間情報を取得する。番組取得部９は、取得した映像音声データを記録装置５に出力し、録画実行部６からの録画指示を受けて記録装置５に記録する。
【００３６】
上記時間情報誤差算出部１０、時間情報誤差保持部１１、番組情報監視部１２、デコードラグ保存部１３、予約実行時間決定部１４、予約実行テーブル１５及び予約実行部１６は、具体的には、ＴＶマイクロコンピュータ（ＴＶマイコン）の制御処理により実現される。ＴＶマイコンは、予約実行処理などのアプリケーションの処理の実行を含む録画機能付デジタル放送受信機２０全体の制御を行うとともに、各制御部を総括して制御する。ＴＶマイコンは、制御プログラムや固定データ等を記憶するＲＯＭ、ＣＰＵの作業用記憶領域であるＲＡＭ、電気的に書換可能な不揮発性メモリであるＥＥＰＲＯＭ（electrically erasable programmable ROM）、ハードディスク（ＨＤＤ）などからなり入力された画像情報・音声信号を記憶する外部記憶装置を備える。入力された予約情報、算出された時間情報誤差、機器固有のデコードによる遅延時間情報、算出された予約実行時間などの情報は、一時保存データ又はテーブルデータとして電源バックアップされたＰＡＭ又はＥＥＰＲＯＭに記憶される。
【００３７】
以下、上述のように構成された録画機能付デジタル放送受信機の動作を説明する。
図２及び図３は、アナログ放送とデジタル放送出力の時間の関係を示す図であり、予約実行時間決定部１４での予約実行処理の開始時刻、終了時刻の決定方法を説明する。図２は、デジタル放送がアナログに比して遅延して送られる場合を、図３はデジタル放送が先行して放送される場合をそれぞれ示している。
【００３８】
図２及び図３を参照して予約実行時間決定部１４で決定される録画開始・終了時刻について説明する。
【００３９】
外部誤差は、内蔵時刻とデジタル放送チャンネルの有する時間情報の誤差（内蔵時刻−時間情報）で表す。これはある時点で事前に測定されているものとする。この外部誤差には、デジタル放送局の送出時の誤差、受信経路における誤差、運用時のミスによる誤差などが含まれる。
【００４０】
上記外部誤差の定量的な数値を示すことは困難であるが、本発明者は以下のような誤差があると想定している。機器の外部の遅延である外部誤差のうち、(1)放送信号送出時の誤差について、機器単体では数十ｎｓレベルと考えられる。例えば、ケーブル等による遅延は１Ｍｂｉｔデータ転送につき４．５〜５．５ｎｓの遅延があるとされている。施設全体では数〜数十μｓｅｃの誤差が考えられる。また、(2)電波伝播時の遅延反射・受信状態・設置位置により変化について、マルチパス固有の周期と電波受信距離から概算できる可能性はある。数μｓｅｃ程度の誤差が考えられる。(3)放送局側の運用誤差について、諸外国では人為的なミスにより１週間単位で時間を誤った事例がある。
【００４１】
内部遅延は、受信信号を映像・音声として出力するまでにかかる受信機内部経路遅延による誤差を示す。これは受信機に固有の値を事前に把握することが可能であるためあらかじめ算出されているものとする。
【００４２】
上記内部遅延は、機器の内部の遅延であり、(1)デコード遅延、(2)ＨＤＤへのアクセス速度による遅延、(3)信号引き回しによる遅延が主なものである。上記(1)デコード遅延は、デコードを行うＣＰＵの処理速度に依存する。メモリアクセス・バッファへの取り込み待ち等を考慮すると数ｍｓｅｃ程度の遅延が発生することが考えられる。上記(2)アクセス速度による遅延は、タイムシフト機能などでＨＤＤ等を経由させて出力する場合のＨＤＤ等へのアクセスによる遅延で秒単位で遅れが発生することがある。上記(3)信号引き回しによる遅延は、ケーブル１Ｍ（４．５〜５．５ｎｓｅｃ）、ＩＣ回路ごとに０．５ｎｓｅｃ以下の遅延があるとされる。
【００４３】
〔内蔵時計部２の校正をアナログ放送の時報によって行う場合〕
従来の受信機ではアナログ番組の録画開始時刻に関し内蔵時刻とアナログ放送の時間は一致しているためアナログ放送の録画に関して問題は発生しない。
【００４４】
しかし単純な構造をもつ従来のデジタル放送録画に関しては、アナログ放送時報で内部時刻校正を行いデジタル放送側が遅れて送られる時には、図２に示すように、図２の時刻Ａに録画が開始され、時刻Ｄに録画が終了してしまう。また、アナログ放送時報で内部時刻校正を行いデジタル放送側が先行して送られる時には、図３に示すように、図３の時刻Ｈに録画が開始され、時刻Ｊに録画終了となり、正確な録画が行えない現象が発生してしまう。
【００４５】
これに対して、本実施の形態の録画機能付デジタル放送受信機２０の録画開始終了時刻決定方法は以下のようになる。
【００４６】
アナログ番組の録画開始時刻に関して内蔵時刻とアナログ放送の時間は一致しているため、図２の時刻Ａ、図３の時刻Ｈに決定される。
【００４７】
アナログ番組の録画終了時刻に関しても同様に、図２の時刻Ｄ、図３の時刻Ｊに決定される。時刻Ｄ、時刻Ｊはそれぞれ時刻Ａ、時刻Ｈに番組時間を加算した時間である。
【００４８】
一方、デジタル放送番組の録画開始時刻に関しては図２の時刻Ｃ、図３の時刻Ｇに決定される。時刻Ｃの算出方法は時刻Ａに内部遅延、外部誤差を加算したものとなる。また、時刻Ｊの算出方法は時刻Ｈから外部誤差を減算し内部遅延を加えたものとなる。但し、この場合、“外部誤差＝内蔵時刻−時間情報”の定義から外部誤差は負値をとるため、時刻Ｈの算出方法は時刻Ｃ同様に、時刻Ｊに内部遅延、外部誤差を加算したものと表現することができる。
【００４９】
デジタル放送番組の録画終了時刻に関しては図２の時刻Ｅ、図３の時刻Ｉとなる。時刻Ｅの算出方法は時刻Ｃに番組時間を加算したものとなる。時刻Ｉの算出方法は時刻Ｇに番組時間を加算したものとなる。
【００５０】
時刻Ａ、時刻Ｈは予約設定された時刻に相当するので、結局以下のように表現することが可能となる。
アナログ録画開始時刻：予約設定開始時刻
アナログ録画終了時刻：予約設定開始時刻＋番組時間
デジタル録画開始時刻：予約設定開始時刻＋外部誤差＋内部遅延
デジタル録画終了時刻：予約設定開始時刻＋番組時間＋外部誤差＋内部遅延
以上、内蔵時計部２の校正をアナログ放送の時報によって行う場合について説明した。
【００５１】
〔内蔵時計部２の校正をデジタル放送の時報によって行う場合〕
内蔵時計の校正をデジタル放送の時報で行う場合、デジタル放送とアナログ放送の相対時間関係に変更はなく、予約設定開始時刻が時刻Ａから時刻Ｃに、時刻Ｈから時刻Ｇにそれぞれ変わるのみとなる。このとき、
アナログ録画開始時刻：予約設定開始時刻−外部誤差−内部遅延
アナログ録画終了時刻：予約設定開始時刻＋番組時間−外部誤差−内部遅延
デジタル録画開始時刻：予約設定開始時刻
デジタル録画終了時刻：予約設定開始時刻＋番組時間
のように計算方法が変わる。
【００５２】
同様に、デジタル放送時間情報を内蔵時計の校正に使用する場合も基本的には予約設定開始時刻のシフトであり、予約設定開始時刻が時刻Ａから時刻Ｂに、また時刻Ｈから時刻Ｆにそれぞれ変わるのみとなる。このとき、
アナログ録画開始時刻：予約設定開始時刻＋外部誤差
アナログ録画終了時刻：予約設定開始時刻＋外部誤差＋番組時間
デジタル録画開始時刻：予約設定開始時刻＋内部遅延
デジタル録画終了時刻：予約設定開始時刻＋内部遅延＋番組時間
のように計算方法が変わるが、結局、図２及び図３に示した関係の適用が可能である。
【００５３】
但し、デジタル放送同士の誤差を吸収する場合には内部遅延の項が消え、アナログ放送をデコードしたのちの信号の時報を用いる場合等に関しては内部遅延の項が増える。
【００５４】
図４は、録画機能付デジタル放送受信機の予約動作を示すフローチャートであり、ＴＶマイコンにより実行される。図中、Ｓはフローの各ステップである。
【００５５】
まず、ステップＳ１で操作者が操作入力部３を用い予約の指定を行う。ここで作成された予約開始終了時刻・予約チャンネル等の予約情報は、予約情報記録部４に保存される。ＥＰＧ等から番組情報を利用して予約がなされた場合には番組情報も予約情報記録部４に保持される。
【００５６】
この際、予約実行部１６によって誤差情報を取得するために予約チャンネルもしくは予約チャンネルと同じ時刻情報をもつチャンネルへの選局動作が受信部１に指示される。受信部１では、デジタル放送信号を受信し、受信信号を形成する。時間情報取得部８は、受信信号から時間情報を取り出し時間誤差算出部１０に渡す。時間情報の例としてはＢＳデジタル放送であればＰＳＩ（Program Specific Information）に含まれる現在の日時時刻情報を示すＴＤＴ（Time Data Table）がある。また、北米Ｐ−ＳＨＩＰ規格では信号から得られる情報にＳＴＴ（System Time Table 最低１秒周期で送られるＧＰＳ秒）があり、年月日時秒の情報が取得可能である。ＥＰＧから取得される番組の時間情報（開始時間等）の単位もこれに準じる。この場合、内蔵時計と放送信号から得られた時間情報の比較による外部誤差の検出手段については、内蔵時計が電波時計等で校正され（またはユーザによる設定）なんらかの標準時間系列を取得するとして、これとネットワークの時間情報であるＳＴＴとを比較することで得られる。
【００５７】
次いで、ステップＳ２で時間情報誤差算出部１０は時間情報取得部８より得られた予約チャンネルの時間情報と内蔵時計部２を参照することで得られた内蔵時刻の比較を行い誤差情報を収集する。収集された誤差情報は時間情報誤差保持部１１に送られる。
【００５８】
ステップＳ３では、予約実行時間決定部１４が、予約情報記録部４に保持されている予約情報，時間情報誤差保持部１１に保持されている時間情報誤差，デコードラグ保持部１３に保持されている機器固有のデコードによる遅延時間情報に基づいて事前選局時刻・録画開始終了時刻の計算を行い、計算した事前選局時刻・録画開始終了時刻の情報を予約実行テーブル１５に記録して予約実行テーブル１５の更新を行う。
【００５９】
次いで、ステップＳ４で時間誤差更新条件を満たすか否かを判別し、時間誤差更新条件を満たすときは上記ステップＳ２に戻って予約実行テーブルを定期的に更新する処理を繰り返す。すなわち、上記ステップＳ４では、まず誤差情報を定期的に更新する設定を行い、かつ事前選局時間までの間に誤差情報更新時刻がきた場合には時間誤差更新条件を満たすと判定してステップＳ２に戻って上述した動作を行い誤差を最新の情報に更新する。
【００６０】
次いで、ステップＳ５で事前準備としてタイマを起動する。予約実行部１６では予約実行テーブル１５に基づく内蔵時計の監視を行っており内蔵時計が予約実行テーブル１５に記された事前選局の時刻に到達したと判断した場合には受信部１に選局指示を出す。予約実行部１６より選局指示を受けた受信部１は、ステップＳ６でデジタル放送信号を受信し予約されたチャンネルへの選局を行う。次いで、ステップＳ７で番組取得部９は受信部１により受信された信号を映像・音声信号に分離し、時間情報取得部８は受信信号から時間情報を取り出す。
【００６１】
ステップＳ８では、録画開始動作のトリガとして番組情報を使用するか否かを判別する。番組情報の更新を用いるか否かを判定するため、番組情報監視部１２において番組情報取得部７より提示される番組情報の監視を行う。番組情報の例として、例えばＢＳデジタル放送の場合にはＰＳＩに含まれ現在番組、次の番組を示すＥＩＴ（Event Information Table）等がある。
【００６２】
録画開始動作のトリガとして番組情報の更新を用いる場合には、ステップＳ９で録画番組の番組情報を検出したか否かを判別し、録画番組の番組情報が検出されるまで待つ。予約した番組の番組情報が検出された場合、ステップＳ１０で録画開始を行って本フローを終了する。具体的には、番組情報監視部１２は予約した番組が開始されたことを予約実行部１６に連絡し、番組開始の通知をうけた予約実行部１６は録画実行部６に録画指示を出して録画実行部６は外部又は内部の記録装置に対し録画指示を行う。
【００６３】
上記ステップＳ８で録画のトリガに番組情報を用いない場合には、ステップＳ１１に進んで上記ステップＳ２，ステップＳ３と同様の動作を行う。すなわち、ステップＳ１１で誤差情報・番組情報を収集し、ステップＳ１２で予約実行テーブルを更新する。これにより、時間情報誤差保持部１１は最新の情報に更新され、予約実行時間決定部１４は誤差情報が更新されたことで予約実行テーブル１５に変更が必要となったときには予約実行テーブル１５の更新を行う。ステップＳ１３で録画動作のためのタイマを起動し、予約実行部１６は現在時刻が既に予約時刻に到達又は経過していれば即座に録画実行部６に録画指示を行ってステップＳ１０に進み。ステップＳ１０で録画実行部６は外部又は内部の記録装置５に録画指示を行う。
【００６４】
ここで、本実施の形態では、設定された予約設定開始時刻を修正する例について説明したが、予約設定開始時刻には番組開始時間は勿論のこと、一時中断後の再開始時刻も含む概念である。また同様の方法で予約設定終了時刻の修正も可能である。一般的には、予約設定開始時刻が正確に予約実行できれば、その後はＥＰＧに含まれる番組付帯情報及び時間情報によって適切に番組終了まで視聴／録画がされる。
【００６５】
また、予約設定開始時刻の修正と共に、誤差検出の評価とフィードバックアクションを行うことが好ましい。例えば、人為的なミスによりＳＴＴが大幅に遅れていた場合（局側の施設が古く、再放送の番組で古い時間情報を入れたまま送出等）、次の番組に切り替わる際に誤差が解消される、ということはありうると思われるので、過大な誤差を取り除く等の処理を追加等しておけばより好ましい。
【００６６】
以上のように、本実施の形態の録画機能付デジタル放送受信機２０は、受信機本体に内蔵された内蔵時計部２と、受信した放送信号から時間情報を取得する時間情報取得部８と、時間情報取得部８により取得した時間情報と内蔵時計部２との誤差を受信機本体外部要因に起因する時間誤差として算出する時間情報誤差算出部１０と、算出した誤差情報を保持する時間情報誤差保持部１１と、受信信号を映像・音声として出力するまでに要するデコートによる遅延及び受信機内部経路による遅延に起因する遅延時間を内部遅延としてあらかじめ算出して保持するデコードラグ保存部１３と、実際の予約実行時間を決定する予約実行時間決定部１４と、設定された予約実行時間を保持する予約実行テーブル１５と、受信部１に選局指示、録画実行部６に録画指示を出す予約実行部１６とを備え、予約実行時間決定部１４は、時間情報誤差算出部１０により算出した誤差情報、及びデコードラグ保存部１３に保存された内部遅延に基づいて予約実行テーブル１５に設定された予約設定開始時刻を修正し、予約実行部１６は、予約実行テーブル１５に記された指定時刻に予約動作を行うので、チャンネル間の時間情報の誤差に関わらず希望番組を正確に予約実行することができる。また、放送波間の時間の違い、デコードによるタイムラグを吸収することができ、確実に予約実行することが可能な予約機能付デジタル放送受信機を実現することができる。複数の放送媒体を受信可能な予約機能付デジタル放送アナログ放送複合受信機に適用して好適である。
【００６７】
また、本実施の形態では、設定した任意の時間に定期的に誤差検出を行うことで時間誤差の信頼性を高めることができ、より正確に予約実行することが可能になる。
【００６８】
また、可能な限り予約の直前に時刻情報取得を行い本体時刻との時間誤差を最新に更新するようにしているので、より一層正確に予約実行することが可能になる。
【００６９】
さらに、番組情報を録画操作のトリガとして利用することでより確実な予約実行が可能になる。
【００７０】
なお、上記実施の形態に係るデジタル放送受信機及び予約設定時刻管理方法は、装置単体としては勿論のこと、テレビジョン受信機等の視聴機器や録画機器に組み込まれた装置であってもよい。例えば、録画機器が表示機器を制御可能なデジタル放送受信機を内蔵する場合や、デジタル放送受信機、表示機器、録画機器が一体となった構造なども考えられる。
【００７１】
また、録画機器に録画する番組は何でもよく、現行テレビ放送番組や、ケーブルＴＶ放送番組であってもよい。
【００７２】
また、図１では録画機器である記録装置５が１つ示されているが、これは一例であり複数の装置が接続されている場合でも構わない。また、デジタル放送受信機の操作は、本体の直接操作のほかリモコンにより行うものでもよい。
【００７３】
また、録画機器の種類や記録方法等は限定されず、全ての装置に適用可能である。例えば、記録装置として、ＶＴＲ（Video Tape Recorder）のほか、ＨＤＤやＤＶＤ（Digital Versatile Disk）に記録するものでもよい。特に、データ転送速度やランダム・アクセス性能が高く、高速アクセスが可能なＨＤＤを記録媒体に用いれば、長時間記録した番組の中から所望の番組を瞬時に検索し、直ぐに利用することが可能になる。また、光磁気ディスク等ＨＤＤ以外の記録装置を用いてもよく、同様の効果を得ることができる。
【００７４】
また、本実施の形態ではデジタル放送受信機及び予約設定時刻管理方法という名称を用いたが、これは説明の便宜上であり、番組予約制御装置、番組予約制御方法等であってもよいことは勿論である。
【００７５】
さらに、上記デジタル放送受信機を構成する各回路部、例えば算出部等の種類、数及び接続方法などは前述した各実施の形態に限られない。
【００７６】
以上説明したデジタル放送受信機は、このデジタル放送受信機を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。いずれの場合においても、格納されているプログラムはＣＰＵがアクセスして実行させる構成であってもよいし、あるいはいずれの場合もプログラムを読み出し、読み出されたプログラムは、図示されていないプログラム記憶エリアにダウンロードされて、そのプログラムが実行される方式であってもよい。このダウンロード用のプログラムは予め本体装置に格納されているものとする。
【００７７】
ここで、上記プログラムメディアは、本体と分離可能に構成される記録媒体であり、磁気テープやカセットテープ等のテープ系、フロッピーディスクやハードディスク等の磁気ディスクやＣＤ−ＲＯＭ／ＭＯ／ＭＤ／ＤＶＤ等の光ディスクのディスク系、ＩＣカード／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００７８】
さらに、図示されていないが、外部の通信ネットワークとの接続が可能な手段を備えている場合には、その通信接続手段を介して通信ネットワークからプログラムをダウンロードするように、流動的にプログラムを担持する媒体であってもよい。なお、このように通信ネットワークからプログラムをダウンロードする場合には、そのダウンロード用プログラムは予め本体装置に格納しておくか、あるいは別な記録媒体からインストールされるものであってもよい。なお、記録媒体に格納されている内容としてはプログラムに限定されず、データであってもよい。
【図面の簡単な説明】
【００７９】
【図１】本発明の実施の形態のデジタル放送受信機の機能を示すブロック図である。
【図２】本実施の形態のデジタル放送受信機のアナログ放送とデジタル放送出力の時間の関係を示す図である。
【図３】本実施の形態のデジタル放送受信機のアナログ放送とデジタル放送出力の時間の関係を示す図である。
【図４】本実施の形態のデジタル放送受信機の予約動作を示すフローチャートである。
【符号の説明】
【００８０】
１  受信部
１ａ，１ｂ  アンテナ端子
２  内蔵時計部（内部時計）
３  操作入力部
４  予約情報記録部
５  記録装置（録画機器）
６  録画実行部
７  番組情報取得部
８  時間情報取得部（時間情報取得手段）
９  番組取得部
１０  時間情報誤差算出部（時間誤差算出手段）
１１  時間情報誤差保持部
１２  番組情報監視部
１３  デコードラグ保存部（内部遅延保持手段）
１４  予約実行時間決定部（予約設定開始時刻修正手段）
１５  予約実行テーブル（予約設定手段の一部）
１６  予約実行部（予約実行手段）
２０  録画機能付デジタル放送受信機
【図１】
2005303799.tif 000003
【図２】
2005303799.tif 000004
【図３】
2005303799.tif 000005
【図４】
2005303799.tif 000006